(57)【要約】【課題】厳寒時に貯湯式給湯機の給水給湯配管に水が流れず、凍結が発生する。【解決手段】凍結予防スイッチを装備したリモコン１によって通常使用モードと凍結予防モードとを設定でき、外気温度が所定温度よりも低ければ凍結予防モードへ切換わる。凍結予防モード時には制御装置２は切替え弁７に指令を出し、水道水が連通管６へ流れるように制御する。その結果、給水配管１３および給湯配管１４には少量の水が流れ、厳寒時給水給湯配管に少量の水を流し凍結予防をすることができる。【選択図】図１
2006343009.tif 000002
【特許請求の範囲】
【請求項１】
貯湯槽と、前記貯湯槽内の湯水を加熱する加熱手段と、前記貯湯槽に水道水を供給する給水管と、前記貯湯槽の上部から端末へ出湯する出湯管と、前記給水管の途中に前記出湯管へ接続される連通管と、前記給水管上に水道水の流路を前記貯湯槽側または前記連通管側へ切替える切替え弁と、凍結防止のための凍結防止設定手段とを備え、前記凍結防止設定手段が動作したときには前記切替え弁により前記連通管からの水を出水する貯湯式給湯装置。
【請求項２】
外気温度を検知する外気温度検知手段を設け、前記外気温度検知手段が所定温度以下を検知したときには、凍結防止設定手段が動作して前記切替え弁により前記連通管からの水を出水する請求項１記載の貯湯式給湯装置。
【請求項３】
凍結防止設定手段は手動式のボタンである請求項１または２記載の貯湯式給湯装置。
【請求項４】
外気温度を検知する外気温度検知手段と、凍結防止設定手段として手動式のボタンを用い、前記外気温度検知手段により検知される温度によって、前記ボタンによる入力操作を有効にする請求項１記載の貯湯式給湯装置。
【発明の詳細な説明】
【技術分野】
【０００１】
本発明は、給水給湯配管の凍結を予防する貯湯式給湯装置に関するものである。
【背景技術】
【０００２】
従来、この種の貯湯式給湯装置は、機器および給水給湯配管の水を排水路に排出することで、機器および配管の凍結を防止できるものである（例えば、特許文献１参照）。
【０００３】
特許文献１に記載された従来の給湯機の貯湯式給湯装置は、電源をＯＦＦした時に三方弁の水路を切替えることによって給水を止め、機器および給水給湯配管の水を排水路に導き、凍結を防止しようとするものである。
【特許文献１】特開平３−２４１１２５号公報
【発明の開示】
【発明が解決しようとする課題】
【０００４】
しかしながら、上記従来の構成では、貯湯式給湯機の場合、貯湯槽に溜まっているお湯を全て排水することになり、省エネルギーに反するという課題を有していた。
【０００５】
本発明は、前記従来の課題を解決するもので、厳寒時に少量の水を給水給湯配管に流して凍結を防止する貯湯式給湯装置を提供することを目的とする。
【課題を解決するための手段】
【０００６】
前記従来の課題を解決するために、本発明の給湯装置は、貯湯槽と、貯湯槽内の湯水を加熱する加熱手段と、貯湯槽に水道水を供給する給水管と、貯湯槽の上部から端末へ出湯する出湯管と、給水管の途中に前記出湯管へ接続される連通管と、給水管上に水道水の流路を貯湯槽側または連通管側へ切替える切替え弁と、凍結防止のための凍結防止設定手段とを備え、凍結防止設定手段が動作したときには切替え弁により前記連通管からの水を出水するものである。
【０００７】
これにより、厳寒時給水給湯配管に少量の水を流すことによって凍結予防をすることができる。
【発明の効果】
【０００８】
本発明の貯湯式給湯装置は、貯湯式給湯機において厳寒時給水給湯配管に少量の水を流すことで凍結予防ができる省エネルギータイプの貯湯式給湯装置である。
【発明を実施するための最良の形態】
【０００９】
第１の発明は、貯湯槽と、貯湯槽内の湯水を加熱する加熱手段と、貯湯槽に水道水を供給する給水管と、貯湯槽の上部から端末へ出湯する出湯管と、給水管の途中に前記出湯管へ接続される連通管と、給水管上に水道水の流路を貯湯槽側または連通管側へ切替える切替え弁と、凍結防止のための凍結防止設定手段とを備え、凍結防止設定手段が動作したときには切替え弁により前記連通管からの水を出水する貯湯式給湯装置であり、貯湯槽の湯を出さずに水のみを出すことができる。
【００１０】
第２の発明は、特に、第１の発明において、外気温度を検知する外気温度検知手段を設け、外気温度検知手段が所定温度以下を検知したときには、凍結防止設定手段が動作して切替え弁により前記連通管からの水を出水するものであり、凍結の恐れのある厳寒時に作動させることができる。
【００１１】
第３の発明は、特に、第１または第２の発明において、凍結防止設定手段は手動式のボタンとするものであり、通常使用モードと凍結防止モードに区別することができる。
【００１２】
第４の発明は、特に、第１の発明において、外気温度を検知する外気温度検知手段と、凍結防止設定手段として手動式のボタンを用い、外気温度検知手段により検知される温度によって、ボタンによる入力操作を無効にするものであり、需要家が凍結防止をしたいときで、かつ凍結の恐れのある時に貯湯式給湯装置を動作させることができる。
【００１３】
以下、本発明の実施の形態について、図面を参照しながら説明する。なお、この実施の形態によって本発明が限定されるものではない。
【００１４】
図１は、本発明の第１の実施の形態における貯湯式給湯装置の図を示すものである。
【００１５】
貯湯式給湯装置は、貯湯タンク１０と貯湯タンク１０に貯えられた湯水を加熱するヒートポンプ１６を備えている。貯湯タンク１０に貯えられた湯水は、ヒートポンプ戻り配管１７から積層ポンプ１２によりヒートポンプ１６に流れる。そして、ヒートポンプ１６により加熱された湯水はヒートポンプ往き配管１８から三方弁１１を介して貯湯タンク１０の上部に流れる。
【００１６】
また、使用者により給湯栓１５が開けられた場合、貯湯タンク１０の上部に貯えられている高温の湯水は湯水混合弁９へ流れ、湯水混合弁９で給水配管１３から流れる水道水と混合されて、給湯配管１４から給湯栓１５へ出湯される。湯水混合弁９では、使用者が予め設定された温度となるように、貯湯タンク１０からの高温湯と水道水とが適切な混合比率で混合される。出湯温度は、リモコン１により設定可能である。リモコン１には出湯温度の設定を行うためのボタン以外にも凍結の予防を行うためのボタンが取り付けられている。
【００１７】
給水配管１３上には、湯水混合弁９にいたるまでに切替え弁７が設けられている。切替え弁７は、湯水混合弁９側へ流れる流路と連通管６を通じて給湯栓１５へ流れる流路とを切替えることができる。
【００１８】
以上のように構成された貯湯式給湯装置について、以下使用者がリモコン１に装備された凍結予防ボタンを押した場合の動作、作用を説明する。
【００１９】
まず、凍結予防ボタンを押すと、制御装置２はその入力を認識する（ステップ１）。次に、制御装置２は気温度検知センサ３にて外気温度を検知し（ステップ２）、検知した外気温と予め設定された所定値とを比較する（ステップ３）。
【００２０】
もし、ステップ３において、検知した外気温よりも予め設定された所定値の方が低ければ、凍結予防ボタンを押したことによる凍結予防の受け付けを拒否して、ステップ１による入力を無効とする（ステップ４）。これは、外気温がある程度高く凍結の恐れが少ないからである。
【００２１】
一方、ステップ３において、検知した外気温よりも予め設定された所定値の方が高ければ、テップ１による入力を受付け、貯湯式給湯装置を通常使用モードから凍結予防モードへ切替える（ステップ５）。この場合は、外気温がある低く凍結の恐れが高い。そして、凍結予防モードへ切換わると制御装置２は切替え弁７を連通管側６に切替える（ステップ６）。
【００２２】
このように切替え弁７が連通管６側に切替わると、給水配管１３からの水道水が連通管６から給湯栓１５へ流れる。その流量は給湯栓１５から２００ccあたり出水する程度であり、その流量によって給水配管１１および給湯配管１２の凍結予防をすることができる。
【００２３】
以上のように、本実施の形態においては、通常使用モードから凍結予防モードに変更されると、更に外気温度検知センサからの信号を受けて切替え弁に指令を出す制御装置によって、給水給湯配管の凍結予防をしようとするもので、この構成よって、厳寒時給水給湯配管に水を流すことによって凍結予防をすることができる。
【００２４】
なお、本実施例において貯湯タンクの湯水をヒートポンプで加熱するとしたが、ヒートポンプ以外に電気ヒータを用いて加熱を行っても本発明に影響を及ぼすものではない。
【００２５】
また、凍結を防止するために使用者がボタンを押す以外にも、例えば検出した外気温に応じて自動で通常使用モードから凍結予防モードへ切替え、切替え弁の切り替えを行えるようにしてもよい。
【産業上の利用可能性】
【００２６】
以上のように、本発明にかかる貯湯式給湯機の貯湯式給湯装置は、厳寒時給湯給水配管に少量の水を流すことが可能となるので、電気、石油、ガスの貯湯式給湯機の用途に適用できる。
【図面の簡単な説明】
【００２７】
【図１】本発明の実施の形態における貯湯式給湯装置の構成図
【図２】本発明の制御手順を示す図
【符号の説明】
【００２８】
１  凍結予防スイッチを装備したリモコン
２  制御装置
３  外気温度検知センサ
５  給湯回路
６  連通管
７  切替え弁
１０  貯湯タンク
１３  給水配管
１４  給湯配管
１５  給湯栓
【図１】
2006343009.tif 000003
【図２】
2006343009.tif 000004